(57)【要約】【課題】道の一部を塞ぐことを抑制することができる剪定補助具を提供する。【解決手段】剪定補助具１０は、ネット部９と、第１取付け部１３とを備える。剪定補助具１０は、地面Ｇに立設した柱状体１の近傍に設けられる。ネット部９は、剪定された枝を載置する。第１取付け部１３は、地面から離間した状態でフレーム部１２を柱状体１に取り付ける。この結果、剪定補助具１０が道の一部を塞ぐことを抑制し、歩行者の邪魔をすることがない。【選択図】図１
2019170184.tif 000002
【特許請求の範囲】
【請求項１】
地面に立設した柱状体の近傍に設けられる剪定補助具であって、
剪定された枝を載置するネット部と、
前記地面から離間した状態で前記ネット部を前記柱状体に取り付ける第１取付け部とを備える、剪定補助具。
【請求項２】
前記第１取付け部は、挟持部を備え、
前記挟持部は、前記柱状体を挟持する、請求項１に記載の剪定補助具。
【請求項３】
前記挟持部は、凹部と弾性部材とを備え、
前記凹部は、内側空間を有し、
前記弾性部材は、前記内側空間に配置される、請求項２に記載の剪定補助具。
【請求項４】
前記弾性部材は、前記柱状体の形状に合わせて変形する、請求項３に記載の剪定補助具。
【請求項５】
前記柱状体に前記ネット部を取り付ける第２取付け部をさらに備え、
前記第２取付け部は、前記ネット部と前記柱状体との間に張架される、請求項１から請求項４のいずれか１項に記載の剪定補助具。
【請求項６】
前記地面に対する前記ネット部の角度を調整する角度調整部をさらに備える、請求項１から請求項５のいずれか１項に記載の剪定補助具。
【請求項７】
前記角度調整部は、回動部と、ロック部とを備え、
前記回動部は、前記ネット部を回動可能に支持し、
前記ロック部は、回動した前記ネット部を固定する、請求項６に記載の剪定補助具。
【請求項８】
前記ネット部は、フレーム部とシートとを含み、
前記フレーム部は、第１フレームと第２フレームとを含み、
前記第１フレームの端部には、前記第２フレームが位置し、
前記第２フレームは、前記第１フレームに回動可能に支持される、請求項１から請求項７のいずれか１項に記載の剪定補助具。
【請求項９】
前記地面に立設されるフレーム支持部をさらに備え、
前記フレーム支持部は、前記柱状体に当接する、請求項１から請求項８のいずれか１項に記載の剪定補助具。
【請求項１０】
前記フレーム支持部は、第１長さ変更部を備え、
前記第１長さ変更部は、前記フレーム支持部の長さを調整する、請求項９に記載の剪定補助具。
【発明の詳細な説明】
【技術分野】
【０００１】
本発明は、剪定補助具に関する。
【背景技術】
【０００２】
従来、剪定した植木の切くずを収集する剪定切くず収集ネットが提供されている。このような剪定切くず収集ネットとして、特許文献１に記載の収集ネットは、植木類の剪定作業において、方形のネットを植木類の下方に敷き、その下側の物を保護する。
【先行技術文献】
【特許文献】
【０００３】
【特許文献１】特開平９−９４０２７号公報
【発明の概要】
【発明が解決しようとする課題】
【０００４】
しかしながら、特許文献１に記載の剪定切くず収集ネットは、ネットを地面に置いて作業するため、剪定された枝が道の一部を塞ぎ、交通の邪魔になることがある。
【０００５】
本発明は上記課題に鑑みてなされたものであり、本発明の目的は、道の一部を塞ぐことを抑制することができる剪定補助具を提供することである。
【課題を解決するための手段】
【０００６】
本発明に係る剪定補助具は、ネット部と、第１取付け部とを備える。剪定補助具は、地面に立設した柱状体の近傍に設けられる。ネット部は、剪定された枝を載置する。第１取付け部は、地面から離間した状態でフレーム部を柱状体に取り付ける。
【０００７】
ある実施形態において、第１取付け部は、挟持部を備える。前記挟持部は、柱状体を挟持する。
【０００８】
ある実施形態において、挟持部は、凹部と弾性部材とを備える。前記凹部は、内側空間を備える。前記弾性部材は、前記内側空間に配置される。
【０００９】
ある実施形態において、弾性部材は、柱状体の形状に合わせて変形する。
【００１０】
ある実施形態において、剪定補助具は、第２取付け部をさらに備える。前記第２取付け部は、柱状体にフレーム部を取り付ける。前記第２取付け部は、前記フレーム部と前記柱状体の間に張架される。
【００１１】
ある実施形態において、剪定補助具は、角度調整部をさらに備える。前記角度調整部を地面に対してフレーム部の角度を調整する。
【００１２】
ある実施形態において、角度調整部は、回動部と、ロック部とを備える。前記回動部は、前記フレーム部を回動可能に支持する。前記ロック部は、回動した前記フレーム部を固定する。
【００１３】
ある実施形態において、ネット部は、フレーム部とシートとを含む。前記フレーム部は、第１フレームと第２フレームとを含む。前記第１フレームの端部には、前記第２フレームが位置し、前記第２フレームは、前記第１フレームに回動可能に支持される。
【００１４】
ある実施形態において、剪定補助具は、前記地面に立設されるフレーム支持部をさらに備える。前記フレーム支持部は、前記柱状体に当接する。
【００１５】
ある実施形態において、前記フレーム支持部は、第１長さ変更部を備える。前記第１長さ変更部は、前記フレーム支持部の長さを調整する。
【発明の効果】
【００１６】
本発明の剪定補助具によれば、道の一部を塞ぐことを抑制することができる剪定補助具を提供できる。
【図面の簡単な説明】
【００１７】
【図１】本発明の実施形態に係る剪定補助具を示す斜視図である。
【図２】本発明の実施形態に係る剪定補助具の第１フレームと第２フレームとを示す図である。
【図３】本発明の実施形態における、剪定補助具の第１取付け部を示す図である。
【図４】（ａ）は、角度調整部の側面を示す図である。（ｂ）は、角度調整部の角度を調整した状態を示す図である。
【図５】フレーム支持部を示す図である。
【図６】フレーム支持部を示す図である。
【図７】（ａ）は、柱状体とフレーム部との距離を調整する前を示す図である。（ｂ）は、柱状体とフレーム部との距離を調整した後を示す図である。
【図８】（ａ）は、第３長さ変更部が第２フレームの長さを調整する前の状態を示す図である。（ｂ）は、第３長さ変更部が第２フレームの長さを調整した後の状態を示す図である。
【発明を実施するための形態】
【００１８】
以下、本発明の実施形態について、図面を参照しながら説明する。なお、図中、同一又は相当部分については同一の参照符号を付して説明を繰り返さない。
【００１９】
まず、図１を参照して、本発明の剪定補助具１０を説明する。図１は、剪定補助具１０を示す。剪定補助具１０は、地面Ｇに立設した柱状体１に設けられる。柱状体１は、例えば、樹木又は電柱である。剪定補助具１０は、ネット部９と、第１取付け部１３とを備える。
【００２０】
ネット部９は、剪定された枝を載置する。ネット部９は、シート１１とフレーム部１２とを含む。
【００２１】
シート１１は、剪定された枝を受ける。シート１１は、網目状となっている。網目の大きさは、剪定された枝が地面Ｇに落ちない程度の大きさが好ましい。また、シート１１が網目状になっているため、シート１１が風に煽られることを抑制できる。この結果、シート１１から剪定された枝が地面Ｇに落ちることを抑制できる。
【００２２】
フレーム部１２は、シート１１を張設する。フレーム部１２は、コの字状である。コの字状のフレーム部１２の内側空間には、シート１１が張設される。フレーム部１２とシート１１とは、紐で固定される。
【００２３】
フレーム部１２は、アルミニウムで形成される。具体的には、フレーム部１２は、アルミニウムの筒状である。さらに具体的には、フレーム部１２は、アルミニウムの角柱である。
【００２４】
フレーム部１２は、第１フレーム１２１と、一対の第２フレーム１２２と、第２フレーム１２２の回動軸１２３とを備える。
【００２５】
第１フレーム１２１は、柱状体１の近傍に位置する。第１フレーム１２１の端部の各々には、孔（図示せず）が設けられている。
【００２６】
第２フレーム１２２は、第１フレーム１２１の両端部の各々に設けられる。第２フレーム１２２の各々は、第１フレーム１２１の長手方向に直交する方向に設けられる。第２フレーム１２２の各々は、第１フレーム１２１と当接する。第１フレーム１２１と当接する第２フレーム１２２の箇所には、孔（図示せず）が設けられる。
【００２７】
回動軸１２３は、第２フレーム１２２を回動可能に支持する。
【００２８】
第１取付け部１３は、フレーム部１２を柱状体１に取り付ける。具体的には、第１取付け部１３は、フレーム部１２を地面Ｇから離間した状態でフレーム部１２を柱状体１に取り付ける。地面Ｇから離間した位置でシート１１とフレーム部１２とが柱状体１に取り付けられるため、枝が地面Ｇに落ちることを抑制できる。例えば、第１取付け部１３は、地面Ｇから２．３ｍ離間した位置にフレーム部１２を柱状体１に取りつける。地面Ｇから２．３ｍ離間した位置にフレーム部１２を位置させることで、剪定補助具１０の下を歩行者が通ることが可能となる。この結果、剪定補助具１０が道の一部を塞ぐことを抑制し、歩行者の邪魔をすることがない。また、剪定補助具１０から剪定した枝が落ちることを抑制できる。従って、作業性を向上させることができる。また、歩行者の安全性を向上させることができる。
【００２９】
また、剪定補助具１０は、第２取付け部１４をさらに備える。第２取付け部１４は、フレーム部１２を柱状体１に張架する。第２取付け部１４は、例えば、一対の紐である。紐の一方の端部は、柱状体１に括り付けられる。紐の他方の端部は、第２フレーム１２２に括り付けられる。第２取付け部１４によって、より安定してフレーム部１２を柱状体１に固定することが可能となる。なお、第２取付け部１４は、第２取付け部１４の一方の端部を一方の第２フレーム１２２に括り付け、第２取付け部１４の他方の端部を他方の第２フレーム１２２に括り付けてもよい。第２取付け部１４の中途部は、柱状体１を経由する。
【００３０】
図２は、第１フレーム１２１と第２フレーム１２２とを示す。図２は、第２フレーム１２２が第１位置に位置する状態と、第２フレーム１２２が第２位置に位置する状態とを示す。回動軸１２３は、第１フレーム１２１の孔（図示せず）と第２フレーム１２２の孔（図示せず）とに挿通される。この結果、第２フレーム１２２は、回動軸１２３を中心に回動することが可能となる。具体的には、回動軸１２３を中心に図２に示す矢印の方向に回動する。図２に示す矢印は、第２フレーム１２２が、第１フレーム１２１に接近する方向と第１フレーム１２１から離間する方向とを示している。
【００３１】
第２フレーム１２２は、第１位置と第２位置との間とを回動する。第１位置は、第２フレーム１２２が、第１フレーム１２１に直交する位置である。第２位置は、第２フレーム１２２が、第１フレーム１２１に平行な位置である。また、第２フレーム１２２は、第１位置に回動することで、シート１１を張設することが可能となる。第２フレーム１２２が、第２位置に回動することで、第１フレーム１２１と第２フレーム１２２とが平行な位置となり、フレーム部１２を折り畳んで収納できる。
【００３２】
次に、図１から図３を参照して、第１取付け部１３の詳細を説明する。図３は、第１取付け部１３を示す。第１取付け部１３は、挟持部１３１を備える。挟持部１３１は、柱状体１を挟持する。具体的には、挟持部１３１は、柱状体１の外周面の一部を覆い、柱状体１を挟持する。挟持部１３１を備えることで、柱状体１を挟持してフレーム部１２を固定することが可能となる。このため、フレーム部１２を柱状体１に安定して固定できる。
【００３３】
挟持部１３１は、凹部１３２と帯状部１３３と弾性部材１３６とを備える。挟持部１３１は、凹部１３２と帯状部１３３とで柱状体１を挟持する。さらに具体的には、挟持部１３１の凹部１３２は、凹部１３２の内側空間に柱状体１を位置させる。弾性部材１３６は、凹部１３２と柱状体１との間に位置する。帯状部１３３は、柱状体１が凹部１３２から脱落しないように、柱状体１を凹部１３２と帯状部１３３と弾性部材１３６とで挟圧し、挟持する。
【００３４】
凹部１３２は、内側空間を備える。内側空間は、底壁１３４と、底壁１３４から延設された一対の側壁１３５とによって形成される。
【００３５】
弾性部材１３６は、内側空間に配置される。弾性部材１３６は、シリコンである。弾性部材１３６は、柱状体１に当接する。
【００３６】
凹部１３２の内側空間に弾性部材１３６を設けることで、第１取付け部１３を柱状体１に密着させることが可能となる。弾性部材１３６は柱状体１の形状に合わせて変形する。柱状体１と第１取付け部１３とがより密着し、フレーム部１２の固定が容易となる。また、一対の側壁１３５の各々は、環状体１３５ａを備える。
【００３７】
帯状部１３３は、環状体１３５ａに取り付けられる。具体的には、帯状部１３３は、一方の環状体１３５ａと他方の環状体１３５ａとに括り付けられる。その結果、帯状部１３３によって柱状体１が凹部１３２に押し付けられ、柱状体１が帯状部１３３と凹部１３２とによって挟持される。
【００３８】
次に図３及び図４を参照して、角度調整部１５を詳細に説明する。剪定補助具１０は、角度調整部１５をさらに備える。図３は、角度調整部１５をさらに示す。図４（ａ）は、角度調整部１５の側面を示す図である。図４（ｂ）は、角度調整部１５の角度を調整した状態を示す図である。
【００３９】
角度調整部１５は、フレーム部１２の角度を調整する。フレーム部１２と第１取付け部１３の間に位置する。角度調整部１５は、フレーム部１２を回動させて、フレーム部１２の角度を調整する。角度調整部１５は、第１アーム１５１と、第２アーム１５２と、回動部１５８と、ロック部１５９とを備える。
【００４０】
第１アーム１５１と第２アーム１５２とは、アルミニウムである。具体的には、第１アーム１５１と第２アーム１５２とは、アルミニウムの角柱である。
【００４１】
第１アーム１５１は、凹状の切り欠き１５３を備える。切り欠き１５３は、第１アーム１５１の端部に位置する。具体的には、第２アーム１５２側に位置する第１アーム１５１の端部に、切り欠き１５３を備える。切り欠き１５３は、一対の側板１５５を備える。
【００４２】
図４に示すように、一対の側板１５５の端部は、円弧状である。一対の側板１５５は、回動軸１５８ａの挿通孔１５７ａと複数の挿通孔１５７ｂとを備える。挿通孔１５７ｂの各々は、一対の側板１５５の外縁側に等間隔に配置される。複数の挿通孔１５７ｂのいずれかには、後述するロックピン１５９ａが挿入される。
【００４３】
図３に示すように、第２アーム１５２は、凸部１５４を備える。凸部１５４は、第１アーム１５１の切り欠き１５３に位置する。凸部１５４は、複数の貫通孔を備える。具体的には、凸部１５４は、回動軸１５８ａの挿通孔を備える。
【００４４】
回動部１５８は、回動軸１５８ａを含む。回動軸１５８ａは、地面Ｇと平行な方向に設けられる。回動軸１５８ａは、側板１５５の挿通孔１５７ａと凸部１５４の挿通孔とに挿通される。具体的には、切り欠き１５３に凸部１５４を位置させる。側板１５５の挿通孔１５７ａと凸部１５４の挿通孔とを一致させ、回動軸１５８ａを側板１５５の挿通孔１５７ａと凸部１５４の挿通孔とに挿通する。この結果、第２アーム１５２は、回動可能に回動軸１５８ａに支持される。また、第２アーム１５２は、回動軸１５８ａを中心に回動する。第２アーム１５２の回動に伴って、フレーム部１２も回動する。
【００４５】
ロック部１５９は、第２アーム１５２の回動をロックする。ロック部１５９は、ロックピン１５９ａを備える。ロック部１５９は、ロックピン１５９ａを凸部１５４の挿通孔と側板１５５の挿通孔１５７ｂとに挿通することで、第２アーム１５２の回動をロックする。例えば、第２アーム１５２を、回動軸１５８ａを中心に回動させ、側板１５５の挿通孔１５７ｂのいずれかと凸部１５４の挿通孔とを一致させる。凸部１５４の挿通孔と側板１５５の挿通孔１５７ｂとが一致した位置でロックピン１５９ａを挿通する。この結果、第２アーム１５２が回動した状態の角度で固定される。ロックピン１５９ａは、アルミニウムの棒である。
【００４６】
角度調整部１５によって、柱状体１に対して、フレーム部１２の角度を変更することが可能となる。角度調整部１５を設けることで、剪定作業者の好むフレーム部１２の角度に変更できる。この結果、ネット部９を剪定作業者の好む角度に調整することが可能となる。また、角度調整部１５によって、柱状体１の近傍に位置するフレーム部１２の端部を低くし、柱状体１から遠い端部を高くすることで、剪定した枝が柱状体１側に集まる。この結果、剪定した枝が歩行者側に集まることを抑制することができる。
【００４７】
次に、図５及び図６を参照して、フレーム支持部１６を説明する。図５及び図６は、フレーム支持部１６を示す図である。フレーム支持部１６は、土台部１６１と、支持部１６２と、第１長さ変更部１６３とを備える。
【００４８】
フレーム支持部１６は、フレーム部１２を支持する。フレーム支持部１６は、地面Ｇに立設される。フレーム支持部１６は、柱状体１に当接する。フレーム支持部１６によって、フレーム部１２を支えることが可能となり、フレーム部１２をより安定して柱状体１に固定することができる。
【００４９】
土台部１６１は、フレーム支持部１６を支持する。土台部１６１は、突起（図示せず）と固定穴（図示せず）とを備える。突起は、地面Ｇに突き刺さり、土台の移動を抑制する。固定穴は、支持部１６２を固定する。
【００５０】
支持部１６２は、柱状体１とフレーム部１２とに当接し、フレーム部１２を支持する。
【００５１】
第１長さ変更部１６３は、筒状である。第１長さ変更部１６３は、第１筒部１６４と、第２筒部１６５と、ロックピン１６６とを備える。
【００５２】
第１筒部１６４は、固定穴（図示せず）に挿入される挿入部（図示せず）と、貫通孔１６４ａとを備える。第１筒部１６４は、一方の端部に挿入部（図示せず）を備え、他方の端部に貫通孔１６４ａを備える。また、第１筒部１６４の内径は、第２筒部１６５の外径より大きい。このため、第１筒部１６４は、第２筒部１６５を内部に収容することが可能である。
【００５３】
第２筒部１６５は、支持部１６２を固定する固定部（図示せず）と、複数の貫通孔１６５ａとを備える。第２筒部１６５は、一方の端部に固定部を備え、他方の端部に複数の貫通孔１６５ａを備える。第２筒部１６５は、第１筒部１６４の内部に収容される。第１筒部１６４の内部に収容された第２筒部１６５は、第１筒部１６４から伸長する。例えば、第２筒部１６５は、図５に示す第２筒部１６５の位置から図６に示す第２筒部１６５の位置に伸長する。
【００５４】
ロックピン１６６は、第１筒部１６４から第２筒部１６５を伸長させた状態で固定する。具体的には、第１筒部１６４から第２筒部１６５を伸長させて、第１筒部１６４の貫通孔１６４ａと第２筒部１６５の複数の貫通孔１６５ａの内１つとを一致させて、ロックピン１６６を貫通孔１６４ａと貫通孔１６５ａとに挿通させる。この結果、第１長さ変更部１６３は、変更されたフレーム支持部１６の長さで固定することが可能となる。第１長さ変更部１６３は、フレーム部１２の高さに応じて、フレーム支持部１６の長さを変更することができる。
【００５５】
次に、図７を参照して、第２長さ変更部１７を説明する。図７は、第２長さ変更部１７を示す。第２長さ変更部１７は、柱状体１とフレーム部１２との距離を調整する。第２長さ変更部１７は、第１筒部１７１と、ロックピン１７３とを備える。図７（ａ）は、柱状体１とフレーム部１２との距離を調整する前を示す。図７（ｂ）は、柱状体１とフレーム部１２との距離を調整した状態を示す。
【００５６】
第１筒部１７１は、貫通孔１７１ａを備える。第１筒部１７１は筒状である。第１筒部１７１の内径は、第２アーム１５２の外径より大きい。このため、第１筒部１７１は、第２アーム１５２を内部に収容することが可能である。第２アーム１５２は、複数の貫通孔１５２ａを備える。
【００５７】
ロックピン１７３は、第１筒部１７１から第２アーム１５２を伸長させた状態で第２アーム１５２を固定する。具体的には、第１筒部１７１から第２アーム１５２を伸長させて、第１筒部１７１の貫通孔１７１ａと第２アーム１５２の複数の貫通孔１５２ａの内の１つとを一致させて、ロックピン１７３を貫通孔１７１ａと、貫通孔１５２ａとに挿通させる。この結果、第２長さ変更部１７は、変更後の長さを維持することが可能となる。第２長さ変更部１７によって、柱状体１とフレーム部１２との距離を調整することが可能となり、道に張り出した枝の長さに合わせて、フレーム部１２の位置を変更することが可能となる。この結果、剪定された枝が地面Ｇに落下することを抑制することができる。剪定された枝の地面Ｇへの落下を抑制できるので、作業性を向上させることができる。また、歩行者の安全性を向上させることができる。
【００５８】
次に、図８に基づいて、第３長さ変更部１８を説明する。図８は、第３長さ変更部１８を示す。第２フレーム１２２は、第３長さ変更部１８を備える。第３長さ変更部１８は、第２フレーム１２２の長さを調整する。第３長さ変更部１８は、第１筒部１８１と、第２筒部１８２と、ロックピン１８３とを備える。第２筒部１８２は、複数の貫通孔１８２ａを備える。図８（ａ）は、第３長さ変更部１８が第２フレーム１２２の長さを調整する前の状態を示す。図８（ｂ）は、第３長さ変更部１８が第２フレーム１２２の長さを調整した後の状態を示す。
【００５９】
第１筒部１８１は、貫通孔１８１ａを備える。第１筒部１８１の内径は、第２筒部１８２の外径より大きい。このため、第１筒部１８１は、第２筒部１８２を内部に収容することが可能である。第２筒部１８２は、複数の貫通孔１８２ａを備える。
【００６０】
ロックピン１８３は、第１筒部１８１を第２筒部１８２から伸長させた状態で第１筒部１８１と第２筒部１８２とを固定する。具体的には、第１筒部１８１を第２筒部１８２から伸長させて、第１筒部１８１の貫通孔１８１ａと第２筒部１８２の複数の貫通孔１８２ａの内の１つとに一致させて、ロックピン１８３を貫通孔１８１ａと貫通孔１８２ａとに挿通させる。この結果、第３長さ変更部１８は、変更後の長さを維持することが可能となる。第３長さ変更部１８は、第２フレーム１２２の長さを変更することが可能となり、第３長さ変更部１８によって、道に張り出した枝の長さに合わせて、第２フレーム１２２の長さを変更することが可能となる。この結果、剪定された枝が地面Ｇに落下することを抑制することができる。剪定された枝の地面Ｇへの落下を抑制できるので、作業性を向上させることができる。また、歩行者の安全性を向上させることができる。
【００６１】
以上、図面（図１〜図８）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６２】
本発明は、剪定補助具の分野に利用可能である。
【符号の説明】
【００６３】
１        柱状体
９        ネット部
１０      剪定補助具
１１      シート
１２      フレーム部
１３      第１取付け部
１４      第２取付け部
１５      角度調整部
１６      フレーム支持部
１７      第２長さ変更部
１８      第３長さ変更部
１２１    第１フレーム
１２２    第２フレーム
１２３    回動軸
１３１    挟持部
１３２    凹部
１３６    弾性部材
１５８    回動部
１５８ａ  回動軸
１５９    ロック部
１６３    第１長さ変更部
Ｇ        地面
【図１】
2019170184.tif 000003
【図２】
2019170184.tif 000004
【図３】
2019170184.tif 000005
【図４】
2019170184.tif 000006
【図５】
2019170184.tif 000007
【図６】
2019170184.tif 000008
【図７】
2019170184.tif 000009
【図８】
2019170184.tif 000010
【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
地面に立設した柱状体の近傍に設けられる剪定補助具であって、
剪定された枝を載置するネット部と、
前記地面から離間した状態で前記ネット部を前記柱状体に取り付ける第１取付け部と
を備え、
前記第１取付け部は、挟持部を備え、
前記挟持部は、前記柱状体を挟持する、剪定補助具。
【請求項２】
前記挟持部は、凹部と弾性部材とを備え、
前記凹部は、内側空間を有し、
前記弾性部材は、前記内側空間に配置される、請求項１に記載の剪定補助具。
【請求項３】
前記弾性部材は、前記柱状体の形状に合わせて変形する、請求項２に記載の剪定補助具。
【請求項４】
前記柱状体に前記ネット部を取り付ける第２取付け部をさらに備え、
前記第２取付け部は、前記ネット部と前記柱状体との間に張架される、請求項１から請求項３のいずれか１項に記載の剪定補助具。
【請求項５】
前記地面に対する前記ネット部の角度を調整する角度調整部をさらに備える、請求項１から請求項４のいずれか１項に記載の剪定補助具。
【請求項６】
前記角度調整部は、回動部と、ロック部とを備え、
前記回動部は、前記ネット部を回動可能に支持し、
前記ロック部は、回動した前記ネット部を固定する、請求項５に記載の剪定補助具。
【請求項７】
前記ネット部は、フレーム部とシートとを含み、
前記フレーム部は、第１フレームと第２フレームとを含み、
前記第１フレームの端部には、前記第２フレームが位置し、
前記第２フレームは、前記第１フレームに回動可能に支持される、請求項１から請求項６のいずれか１項に記載の剪定補助具。
【請求項８】
前記地面に立設され、前記フレーム部を支持するフレーム支持部をさらに備え、
前記フレーム支持部は、前記フレーム部と前記柱状体とに当接する、請求項７に記載の剪定補助具。
【請求項９】
前記フレーム支持部は、第１長さ変更部を備え、
前記第１長さ変更部は、前記フレーム支持部の長さを調整する、請求項８に記載の剪定補助具。
【請求項１０】
地面に立設した柱状体の近傍に設けられる剪定補助具であって、
剪定された枝を載置するネット部と、
前記地面から離間した状態で前記ネット部を前記柱状体に取り付ける第１取付け部と、
前記地面に対する前記ネット部の角度を調整する角度調整部と
を備える、剪定補助具。
【請求項１１】
地面に立設した柱状体の近傍に設けられる剪定補助具であって、
剪定された枝を載置するネット部と、
前記地面から離間した状態で前記ネット部を前記柱状体に取り付ける第１取付け部と
を備え、
前記ネット部は、フレーム部とシートとを含み、
前記フレーム部は、第１フレームと第２フレームとを含み、
前記第１フレームの端部には、前記第２フレームが位置し、
前記第２フレームは、前記第１フレームに回動可能に支持される、剪定補助具。
【請求項１２】
地面に立設した柱状体の近傍に設けられる剪定補助具であって、
剪定された枝を載置するネット部と、
フレーム支持部と
を備え、
前記ネット部は、フレーム部を含み、
前記フレーム支持部は、前記地面に立設され、前記フレーム部を支持し、
前記フレーム支持部は、前記フレーム部と前記柱状体とに当接する、剪定補助具。